(57)【要約】【課題】従来事例は、円形の本体布の外周部分に復元性の強い線バネリングを縫い付け、その中央部下面にハンドル板を固定したもので、前記ハンドル板を手で保持する必要があるし、帽子とは別個に持ち歩かねば成らない。        他の事例は、本体布の中央にクラウンを設け、本体布の外周に輪ばねを復元自在の捩り環に形成し、折畳み可能な帽子としたもので、雨よけ等に使えるが、雨の無い時に折畳むと帽子として使えない。【解決手段】(1)   帽子の上に、傘の中心付近を縫い付け一体構造とし、傘の持参を不要にする。(2)   傘は帽子に付着しており、頭で支えているので、手は自由に使える。(3)   傘の折畳みは、線バネリングを捩じって３個の連続円に変形させ、両端の輪を中心側の円上に折り曲げ重ね、最上部輪の外周端に付けたフックリボンのフックを、帽子の鍔の裏側に設けた他のフックに嵌合すれば、線バネリングは固定される。【選択図】    図１
2011089230.tif 000002
【特許請求の範囲】
【請求項１】
クラウンと鍔とで構成される帽子と、円形の防水加工された本体布と線バネリングとで構成される傘を、前記クラウンの円筒上面外周付近で前記本体布と３点以上の結合点を設けて一体化し、前記本体布を傘状に広げて、前記鍔の水平面内位置付近で線バネリングを抱え込むように上から下に折り曲げて縫合わせ、前記鍔外周下面と前記本体布の外周上面の、いずれか一方にフックの付いたフックリボンを、他の一方にフックを左右対称位置に取付けたことを特徴とする折畳み傘付帽子。
【請求項２】
前記請求項１において、線バネリングの断面形状は楕円形又は長方形とし、材質は曲げ弾性力の強い圧延金属又は合成樹脂で形成したことを特徴とする折畳み傘付帽子。
【発明の詳細な説明】
【技術分野】
【０００１】
この発明は、帽子の上に折畳み可能な傘を取付け、必要な時に前記傘の固定フックを外して開放し、日傘又は雨傘として使用し、不要な時は折畳んで帽子の上に結合フックで固定する帽子と傘を一体化した装身具である。
【背景技術】
【０００２】
従来の事例の一つは、薄い防水布からなる円形の本体布の外周部分に復元性の強い線バネリングが縫い付けられており、その中央部下面にプラスチック製の薄いハンドル板を前記本体布に樹脂リベットで固定したもので、前記ハンドル板を手で保持する必要があるし、「折畳み傘」と同様に帽子とは別個に持ち歩かねば成らない不便さがある。
他の事例としては、前記本体布の中央にクラウンを設け、本体布の外周に輪ばねを復元自在の捩り環に形成し、折畳み可能な帽子としたもので、雨よけ等に使えるが、雨の無い時は大き過ぎるし、折畳んでしまえば帽子として使えない不便さがある。
【先行技術文献】
【特許文献】
【０００３】
【特許文献１】実用新案登録番号  第３００１２５３号
【特許文献２】特開昭５２−５１２４５
【発明の概要】
【０００４】
本発明は上記事情に鑑みてなされたもので、その目的は、帽子は通常の「日よけ」、「頭の保護として機能し、帽子に付帯した傘は、必要無い時は、折畳んで帽子の上に結合フックで格納し、必要なときは、フックを外して「日傘」又は「雨傘」として活用すれば、「折畳み傘」を帽子に付帯して持ち歩く事になり、「折畳み傘」の持ち忘れ防止と傘の手持ち保持が不要になり、自転車の乗車時、ゴルフプレー時にとても便利な「折畳み傘付帽子」を提供することにある。
【発明が解決しようとする課題】
【０００５】
(1)   帽子と別に「折畳み傘」を持参する必要を無くし、持ち忘れを防止する。
(2)   傘を手で保持することを無くし、手は他の用途に活用したい。
(3)   傘の折畳み、開放操作は容易で、折畳んだ傘は不用意に開かないようにしたい。
(4)   雨の来る方向に合わせて、傘の傾き方向が頭の傾きのみで変えられる様にしたい。
【課題を解決するための手段】
【０００６】
(1)   帽子の上に、傘の中心付近を縫い付けて、一体構造とし傘の持参を不要にする。
(2)   傘は帽子に付着しており、頭で支えているので、手に持つ必要は無い。
(3)   傘の折畳みは、本体布の外周部分に復元性の強い線バネリングが縫い付けられており、これを捩じって３個の連続円に変形させ、両端の輪を中心側の円上に折り曲げて重ね、最上部の輪の外側端に結合フックのついたリボンを縫いつけ、前記結合フックを帽子の鍔の裏側に設けた他のフックに嵌合すれば、前記線バネは不用意に開く事は無い。
(4)   傘は帽子と一体のため、頭を雨の来る方向に傾ければ、容易に対応可能である。
【発明の効果】
【０００７】
(1)   本発明の帽子を用いれば、傘の持参は不要になり、傘の持ち忘れも無い。
(2)   本発明の帽子の折畳み傘を開けば、両手は空くので、自転車走行や、ゴルフのクラブを持つのも容易になる。
(3)   傘の本体布は防水性のカラフルな生地を使えば、雨傘、日傘何れにも対応でき、更に、折畳んで格納し、フック付リボンで開放端を帽子側にロックすれば安全で、取扱も容易。
(4)   傘は頭と一体的に動き、雨の来る方向に頭を少し傾ければ、容易に対応できる。これは慣れにより自然に対応する。また、帽子に顎紐を付けて結べば風の強いときにも対応可能。
【図面の簡単な説明】
【０００８】
【図１】本発明の実施例の断面図（イ）傘を開放した時と（ロ）格納した時
【図２】本発明の実施例の分解斜視図
【図３】本発明の実施例の傘折畳み方法の説明図
【図４】本発明の実施例を人が用いた状態図（傘を開放した時）
【発明を実施するための形態】
【０００９】
以下に実施例を図１から図４を参照して説明する。
図１は断面構造を説明する図で、（イ）は傘５を開放した時の断面図、（ロ）は傘５を収納した時の断面図、図２は傘５と帽子１を分解したときの斜視図、図３は傘５の収納方法を説明する図で、（イ）は傘５上部から見た開放したときの図、（ロ）は線バネリング７の中央を固定して、左右両端を捩じり３つの連続円を作った状態図、（ハ）は前記３つの円の両端円を左右の外端から中心円側に順番に折り曲げて、中心円上に重ね合わせた状態図、図４は傘５を開放した状態で人が帽子１を被った状態を示す。
図１及び図２により、全体の組立構成を説明する。
帽子１はクラウン２と鍔３とフック凹４と顎紐１２で構成され、ほぼ円筒形に形成されていて、前記フックＡ  ４は鍔３の外周下面で左右何れかに１個取付ける。
傘５は本体布５と線バネリング７とフックリボン８で構成され、線バネリング７の断面形状は円でも良いが、楕円形か長方形とすることが好ましい、材質として曲げ弾性力の強いピアノ線等を用い、リングの直径は人間の標準肩幅よりやや大きい直径６０ｃｍ程度とし、三重に折畳んで２０ｃｍ程度にするのが良い。リングの結合は図２に示す線結合環１０を用いてカシメ結合するか溶接結合される、材質を軽量化のため曲げ弾性力の強いカーボン繊維等を含む合成樹脂を用いても良い。本体布５は円形の１枚布で、材質は防水加工された合成繊維織布かビニールシートを用いても良い、取付けは前記クラウン７の上面外周から前記鍔３の略水平位置まで傘状に広げ、前記線バネリング７の外周から下面側に折り曲げて前記線バネリング７を包み込むように縫い合わせる。ビニールシートを用いる場合は高周波溶着で縫い合わせる。前記クラウン７の上面外周縁部と本体布５の結合は、前記クラウン２の頂上円周縁で少なくとも３点以上の箇所で縫い合わせ結合点１１を構成する。
前記フックリボン８は前記フックＡ  ４の取付けられた左右反対側で、前記線バネリング７の外周上面側の本体布５に水平外周方向に向けて取付ける。前記フックリボン８の先端下面にはフックＢ  ９を取付ける。尚、フックＢ  ９とフックＡ  ４は、いずれかが  凹で、他が凸とすれば良く限定するものではない。更に、前記クラウン７の下端部に図２、図４に示す顎紐１２を取付け、強風時には顎紐１２を結んで帽子１の浮き上がりを防ぐと良い。
【００１０】
次に、図３により傘５の折畳み方法を説明する。
図３（イ）は傘５の開放状態を上から見た状態図で、帽子５の鍔３の右側にフックＡ  ４が有り、線バネリング７の外周左端下面のフックリボン８にフックＢ  ９が取付られている。格納する場合は、帽子５の中央を押えて、線バネリング７の外周Ａ、Ｂを結ぶ軸線方向と直角方向にそれぞれ１８０度捩じると図３（ロ）の連続した線バネリング７の３個の輪が出来る。その状態から右側の輪を中央の輪の上に折り曲げ、その状態で押えながら、次に左側の輪を前記の折り曲げた右の輪の上に重ねて折り曲げる。その結果が図（ハ）になり、フックリボン８は右側に来る。フックリボン８を帽子５の鍔３の外周から下側に回して、フックリボン８に取付けたフックＢ  ９を帽子５の鍔３に取付けたフックＡ  ４に結合する事で線バネリング７の収納を完了する。
傘５の開放する時は、前記のフックＡ４、Ｂ  ９を外せば、線バネリング７の開放力で自動的に図３（イ）の状態に復元する。
【産業上の利用可能性】
【００１１】
雨降り時に自転車で傘を片手に運転している人を見かけるが、非常に危険である。また、雨降り時のゴルフもパターやショットの度に傘を置いて打つために濡れてしまうため、急ぎ打ちして失敗する事が多く、濡れるだけで無くプレーとしても不快である。そんな時この折畳み傘付帽子を利用すれば、快適で安全な自転車運転やゴルフプレーが可能になる。
また、本体布５をカラフルな生地を用いれば、日除け傘として、散歩、自転車運転、ゴルフ等に幅広く活用でき、しかも不要時は格納しておけば通常の帽子として使用でき、携帯傘の持ち運びも不要になり、快適な生活用品として活用できる。
【符号の説明】
【００１２】
1.     帽子  ２．クラウン  ３．鍔  ４．フックＡ    ５．傘  ６．本体布  ７．線バネリング  ８．フックリボン
９．フックＢ    １０．線結合菅  １１．結合点  １２．顎紐
【図１】
2011089230.tif 000003
【図２】
2011089230.tif 000004
【図３】
2011089230.tif 000005
【図４】
2011089230.tif 000006